(57)【要約】      （修正有）【課題】カバーを取外した開口に拡張ユニットを装着するようにし、広範な仕様の入出力が可能となる表示装置を安価に提供する。【解決手段】本体ケース２にカバー４の脱着によって開放される開口５を形成し、カバー４の取外された開口５に拡張ケースを装着可能に構成してある。好ましくは、カバー４および拡張ケースをスライド脱着可能とし、制御盤などに表示装置を装着した後に、拡張ユニットを増設するような場合に、狭小な制御盤内でカバー４と拡張ユニットの脱着を容易にする。【選択図】図２
2007123666.tif 000002
【特許請求の範囲】
【請求項１】
本体ケースにカバーの脱着によって開放される開口を形成し、カバーの取外された前記開口に拡張ユニットを装着可能に構成してあることを特徴とする表示装置。
【請求項２】
請求項１記載の表示装置において、
前記カバーおよび拡張ユニットをスライド脱着可能に構成してあることを特徴とする表示装置。
【請求項３】
請求項２記載の表示装置において、
スライド装着した前記カバーを弾性変形可能な係止爪によって所定の装着位置に固定するよう構成するとともに、スライド装着した前記拡張ユニットを所定の装着位置にネジ固定するよう構成してあることを特徴とする表示装置。
【請求項４】
請求項２または３記載の表示装置において、
前記開口のスライド方向長さの中間位置において前記カバーおよび拡張ユニットを脱着可能に構成してあることを特徴とする表示装置。
【請求項５】
請求項４記載の表示装置において、
前記脱着位置を表示する合いマークを、前記本体ケース、カバー、および、拡張ユニットに形成してあることを特徴とする表示装置。
【発明の詳細な説明】
【技術分野】
【０００１】
本発明は、制御盤などに利用される表示装置に関する。
【背景技術】
【０００２】
表示装置は広範な使用状態を考慮して、各種仕様の入出力部を備えている（例えば、特許文献１参照）。
【特許文献１】特開平８−１６１０９号公報
【発明の開示】
【発明が解決しようとする課題】
【０００３】
大きさの決まった表示装置に装備できる入出力部は限られたものになるので、使用頻度の高い入出力部を備えたものを基本仕様品として生産し、特別な入出力が要求される需要に対しては特注品として対応するのが一般的である。
【０００４】
しかし、特注品はコスト高になりがちであり、ユーザーに経済的負担をかけることになる。
【０００５】
本発明は、このような実情に着目してなされたものであって、広範な仕様の入出力が可能となる表示装置を安価に提供することを主たる目的としている。
【課題を解決するための手段】
【０００６】
上記目的を達成するために、本発明は以下のように構成した。
【０００７】
第１の発明に係る表示装置は、本体ケースにカバーの脱着によって開放される開口を形成し、カバーの取外された前記開口に拡張ユニットを装着可能に構成してあることを特徴とする。
【０００８】
この構成によると、カバーによって開口を塞いだ仕様が基準仕様となるが、必要に応じてカバーに代えて所望の拡張ユニットを装着することができる。この場合、本体ケースの電子回路と拡張ユニットの電子回路とをコネクタ接続することになる。
【０００９】
従って、第１の発明によると、基本仕様の表示装置と各種入出力仕様の拡張ユニットを組合わせることで広範な需要に対応させることができ、広範な仕様の入出力が可能となる表示装置を安価に提供することができる。
【００１０】
第２の発明に係る表示装置は、上記第１の発明において、
前記カバーおよび拡張ユニットをスライド脱着可能に構成してあることを特徴とする。
【００１１】
この構成によると、カバーおよび拡張ユニットをネジ連結する構造に比べて脱着が容易で、仕様変更を簡便に行うことができる。
【００１２】
第３の発明に係る表示装置は、上記第２の発明において、
スライド装着した前記カバーを弾性変形可能な係止爪によって所定の装着位置に固定するよう構成するとともに、スライド装着した前記拡張ユニットを所定の装着位置にネジ固定するよう構成してあることを特徴とする。
【００１３】
この構成によると、カバーは単に開口を閉塞するだけのものであるので、スライド装着して係止固定するだけで充分その機構を発揮させることができる。また、拡張ユニットはスライド装着した上でネジ固定することで、使用中のガタつきを防止して、コネクタ接続部での接触不良の発生などを未然に回避することができる。
【００１４】
第４の発明に係る表示装置は、上記第２または第３の発明において、
前記開口のスライド方向長さの中間位置において前記カバーおよび拡張ユニットを脱着可能に構成してあることを特徴とする。
【００１５】
この構成によると、開口のスライド方向長さの全長に亘ってスライド操作する必要はなく、スライド操作量が短くなって取扱いが容易となる。特に、制御盤などに表示装置を装着した後に、拡張ユニットを増設するような場合、狭小な制御盤内でカバーと拡張ユニットを脱着する場合、有利なものとなる。
【００１６】
第５の発明に係る表示は、上記第４の発明において、
前記脱着位置を表示する合いマークを、前記本体ケース、カバー、および、拡張ユニットに形成してあることを特徴とする。
【００１７】
この構成によると、スライド脱着する際の脱着位置が容易に認識することができ、取扱いが一層容易となる。
【発明の効果】
【００１８】
このように、本発明によれば、広範な仕様の入出力が可能となる表示装置を安価に提供することができる。
【発明を実施するための最良の形態】
【００１９】
以下、本発明の実施例を図面に基づいて説明する。
【００２０】
図１に表示装置１を前面側から見た斜視図が、図２に表示装置１を背面側から見た斜視図がそれぞれ示されている。この表示装置１は、各種の制御装置や産業設備における運転状況表示やデータ表示、等に利用されるものであり、制御盤等のコントロールパネルに前面から嵌め込み装着されて固定される。
【００２１】
表示装置１のケース本体２は、前ケース２Ａと後ケース２Ｂとを前後に接合してネジ連結して前後に浅い矩形箱形に構成され、その前ケース２Ａの前面に液晶表示パネル３が組み込まれるとともに、ケース本体２の背部に、ＬＡＮポート、ＵＳＢポート、シリアルポート、ＣＦカードスロット、オーディオ入出力ポート、などの各種の入出力部が標準装備されている。
【００２２】
ケース本体２の背部上方箇所にはカバー４で閉塞された開口５が形成されている。このカバー４は上下にスライド脱着可能に装着されており、そのスライド案内構造が図４に示されている。
【００２３】
前記開口５の左右両端縁には、上下一対のガイドレール６が上下間隔をあけて一列状に突設されるとともに、両ガイドレール６の間に鉤形断面の案内部７が突設されている。他方、カバー４の左右両端縁には案内リブ８が内向きに突設されるとともに、この案内リブ８の上下２箇所に形成された厚肉部８ａの外面に、下向きに開放された上下一対の案内溝９が上下間隔をあけて形成されている。
【００２４】
カバー４の開口５への装着要領を図５に基づいて説明する。なお、図５において、図示された案内リブ８は右側のものであり、図示されているガイドレール６および案内部７も手前（右側）側のものである。カバー４を開口５に装着するに際しては、先ず、図５（ａ）に示すように、開口５におけるスライド方向長さの中間位置にカバー４を位置させ、次いで、図５（ｂ）に示すように、カバー４をその位置で開口５に嵌め入れる。この場合、カバー４が所定の脱着位置にあると、案内リブ８における下側の厚肉部８ａが上下のガイドレール６の間を通過して案内部７に係入する位置にあり、カバー４の嵌め込みが許容されるが、カバー４が所定の脱着位置から上方もしくは下方にずれていると、案内リブ８の厚肉部８ａが上方もしくは下方のガイドレール６に当接してカバー４を開口５に嵌め入れることができなくなる。次に、開口５に嵌め入れたカバー４を下方に操作することで、図５（ｃ）に示すように、各ガイドレール６に案内溝９が嵌り込み案内されながらスライド移動し、開口５がカバー４で閉塞される。
【００２５】
カバー４の下端左右には係止爪１０が突設されており、カバー４がスライドエンドまで移動されると、各係止爪１０が開口５の下方内面に形成された凹部１１に弾性係止され、カバー４が閉じ位置に係止固定される。
【００２６】
閉じ位置にあるカバー４の下端をケース内方に押し込み変形させて係止爪を凹部から離脱させた後、上方の前記脱着位置までスライド操作することで、カバー４を開口５から後方取り外すことができる。この場合、カバー４の下端部の外面には押し込み操作位置を示す左右一対の滑止め部１２が隆起形成されている。
【００２７】
ここで、カバー４の外面下部に合いマークｍが形成されるとともに、開口５の側縁には前記脱着位置および閉じ位置に相当させて合いマークｍ1，ｍ2が付されており、合いマークｍを合いマークｍ1に合致させた位置でのみカバー４を脱着することができる。
【００２８】
カバー４を取り外した開口５には、別途用意した拡張ユニット１５を取り付けることができる。この拡張ユニット１５は、ケース本体２に標準装備されていない仕様の入出力を行うオプションの入出力モジュールや通信アダプタを構成するものであり、必要に応じてカバー４と取替え装着される。拡張ユニット１５に装着するオプションモジュールとしては、図７および図８に示すように、例えばイーサネット接続用モジュールなどがあります。
【００２９】
詳述すると、ケース本体２内の拡張ユニット１５の配置される箇所には予めモジュール接続用コネクタが設けられており、例えばイーサネット接続用モジュールなどのオプションモジュールＭを拡張ユニット１５のスロット部に差込装着するとそのオプションモジュールＭに付設された基板端部のコネクタ部が前記コネクタに接続される。また、制御盤や表示装置の仕様に応じて複数種のオプションモジュールが用意されており、所望のオプションモジュールを選択して拡張ユニット１５に着脱自在に装着することになる。なお、図７および図８に示すものでは、同時に二つのオプションモジュールを拡張ユニット１５に装着可能としたものを示しているが、一つのまたは三つ以上のオプションモジュールを装着できる拡張ユニットに構成してもよい。
【００３０】
拡張ユニット１５もカバー４を同様に開口５にスライド装着されるものであり、その前端部の左右には、カバー４に備えられた案内リブ８および案内溝９と同仕様の案内リブ１６および案内溝１７が形成されており、カバー４の脱着要領と同じ要領でスライド脱着できるように構成されている。また、拡張ユニット１５の下部外面にも脱着位置を認識するための合いマークｍが備えられている。
【００３１】
なお、図示されていないが、ケース本体２に内装された電子回路と拡張ユニット１５から導出されたケーブルとがコネクタ接続されるようになており、開放された開口５においてコネクタ接続を行った後、拡張ユニット１５をスライド装着する。
【００３２】
また、図９に示すように、拡張ユニット１５の下端には連結ボス１８が突設されるとともに、ケース本体２における開口５の下方にはインサート金具１９を利用したネジ孔２０が備えられており、スライド装着された拡張ユニット１５は連結ボス１８に挿通したネジ２１によって強固にケース本体２に固定される。
【００３３】
本発明は、以下のような形態で実施することもできる。
【００３４】
（１）脱着の手間はかかることになるが、カバー４および拡張ユニット１５を複数個所でネジ連結する形態で実施することもできる。
【００３５】
（２）拡張ユニット１５のスライド操作によってコネクタの接続および分離が行われるように構成しておくと便利である。
【図面の簡単な説明】
【００３６】
【図１】表示装置を前面側から見た斜視図である。
【図２】表示装置を背面側から見た斜視図である。
【図３】表示装置の背面図である。
【図４】カバー脱着部を示す斜視図である。
【図５】カバー装着要領を示す縦断側面図である。
【図６】拡張ケースを増設した表示装置を前面側から見た斜視図である。
【図７】拡張ケースを増設した表示装置を背面側から見た斜視図である。
【図８】拡張ケースを増設した表示装置を背面側から見た斜視図であるとともに、拡張ケースにオプションモジュールを装着する様子を示す。
【図９】拡張ケース連結部を示す縦断側面図である。
【符号の説明】
【００３７】
２              ケース本体
４              カバー
５              開口
１０            係止爪
１５            拡張ユニット
【図１】
2007123666.tif 000003
【図２】
2007123666.tif 000004
【図３】
2007123666.tif 000005
【図４】
2007123666.tif 000006
【図５】
2007123666.tif 000007
【図６】
2007123666.tif 000008
【図７】
2007123666.tif 000009
【図８】
2007123666.tif 000010
【図９】
2007123666.tif 000011